(57)【要約】【課題】天井部の中心から離れた位置に開口が形成された中空構造物においても吊り足場の設置が可能な足場の支持構造及び吊り足場の設置方法を提供する。【解決手段】中空構造物１０の内部に配置される足場の支持構造２であって、中空構造物１０は、天井部１１に、天井部１１の中心から離れた位置に開口１２が形成されており、支持構造２は、中空構造物１０に設置したときに、中空構造物１０の外側において、中空構造物１０の直径方向に延在する外支持体３０と、中空構造物１０の内側において、中空構造物１０の直径方向に延在する内支持体３１と、開口１２を介して、外支持体３０と内支持体３１とを連結する連結体１２とを備え、内支持体３１に、足場を吊るすための係止手段４０が取り付けられる。【選択図】図４
2015059303.tif 000002
【特許請求の範囲】
【請求項１】
中空構造物の内部に配置される足場の支持構造であって、
前記中空構造物は、天井部に、天井部の中心から離れた位置に開口が形成されており、
前記支持構造は、前記中空構造物に設置したときに、
前記中空構造物の外側において、前記中空構造物の直径方向に延在する外支持体と、
前記中空構造物の内側において、前記中空構造物の直径方向に延在する内支持体と、
前記開口を介して、前記外支持体と前記内支持体とを連結する連結体とを備え、
前記内支持体に、前記足場を吊るすための係止手段が取り付けられることを特徴とする足場の支持構造。
【請求項２】
前記外支持体と前記天井部との間に介在させる台座を備えている請求項１に記載の足場の支持構造。
【請求項３】
前記係止手段は、前記中空構造物の直径方向に位置調整が可能である請求項１又は２に記載の足場の支持構造。
【請求項４】
中空構造物へ吊り足場を設置する吊り足場の設置方法であって、
前記中空構造物は、天井部に、天井部の中心から離れた位置に開口が形成されており、
足場を吊す支持構造は、前記中空構造物に設置したときに、
前記中空構造物の外側において、前記中空構造物の直径方向に延在する外支持体と、
前記中空構造物の内側において、前記中空構造物の直径方向に延在する内支持体と、
前記開口を介して、前記外支持体と前記内支持体とを連結する連結体とを備えるように構成し、
前記内支持体を、前記開口を通過させて中空構造物の内部にあらかじめ搬入しておき、
前記内支持体と、前記中空構造物の外側に配置した外支持体とを、連結体を介して連結して、前記支持構造を組み立て、
前記支持構造に、前記足場を吊るすための係止手段を取り付けて吊り足場を設置することを特徴とする吊り足場の設置方法。
【請求項５】
前記連結体と前記外支持体とを連結する前に、前記中空構造物の内部又は外部において、前記内支持体と前記連結体とを連結した組立体を形成しておく請求項４に記載の吊り足場の設置方法。
【請求項６】
前記外支持体と前記天井部との間に台座を介在させて、前記外支持体と前記連結体とを連結する際に前記外支持体を位置調整をする請求項４又は５に記載の吊り足場の設置方法。
【請求項７】
前記中空構造物の直径方向に前記係止手段の位置調整をして、足場を吊るす位置を調整する請求項４から６のいずれかに記載の吊り足場の設置方法。
【発明の詳細な説明】
【技術分野】
【０００１】
本発明は、サイロ、コンテナ等の中空構造物の内部の補修、清掃又はメンテナンス作業等に用いる足場の支持構造及び吊り足場の設置方法に関する。
【背景技術】
【０００２】
中空構造物の内部の補修、清掃等の作業に、吊り足場を用いることが知られている。中空構造物の吊り足場は、中空構造物の内部に足場を吊り下げて設置される。足場は中空構造物の内壁面まで延在するように設置され、昇降可能である。このことにより、足場に乗った作業者は、中空構造物の内壁面全体に亘り、補修、清掃等の各種作業を行うことができる。
【０００３】
サイロ、コンテナ等の中空構造物には、大規模な装置を搬入可能な出入り口が無いのが通常である。このため、あらかじめ分解した足場を、中空構造物の天井部に設けられた狭い開口を経て搬入し、中空構造物の内部で足場を組み立てることが行われていた。特許文献１の保守作業装置（足場）は、折畳み式とし、この保守作業装置をコンテナ天井部の開口を通して搬入し、コンテナ内部で展開して足場を形成するようにしている。
【先行技術文献】
【特許文献】
【０００４】
【特許文献１】特開平８−２７０２０８号公報
【発明の概要】
【発明が解決しようとする課題】
【０００５】
しかしながら、前記特許文献１の保守作業装置は、コンテナ天井部の中央部に、開口があることを前提としたものであった。このため、中央部に開口のない中空構造物には使用することができなかった。あえて使用する場合は、中央部に開口を新たに追加する必要があり、このような開口の追加は、追加作業が必要になる上、中空構造物の強度低下等、基本仕様が損なわれるので、適当ではなかった。
【０００６】
本発明は、前記のような従来の問題を解決するものであり、天井部の中心から離れた位置に開口が形成された中空構造物においても吊り足場の設置が可能な足場の支持構造及び足場の設置方法を提供することを目的とする。
【課題を解決するための手段】
【０００７】
前記目的を達成するために、本発明の足場の支持構造は、中空構造物の内部に配置される足場の支持構造であって、前記中空構造物は、天井部に、天井部の中心から離れた位置に開口が形成されており、前記支持構造は、前記中空構造物に設置したときに、前記中空構造物の外側において、前記中空構造物の直径方向に延在する外支持体と、前記中空構造物の内側において、前記中空構造物の直径方向に延在する内支持体と、前記開口を介して、前記外支持体と前記内支持体とを連結する連結体とを備え、前記内支持体に、前記足場を吊るすための係止手段が取り付けられることを特徴とする。この構成によれば、開口が中空構造物の天井部の中心から離れた位置にあっても、開口をそのまま利用して、足場を安定して吊るすことができる。
【０００８】
前記本発明の足場の支持構造においては、前記外支持体と前記天井部との間に介在させる台座を備えていることが好ましい。この構成によれば、外支持体と連結体とを連結する際の位置合わせが容易になる。
【０００９】
また、前記係止手段は、前記中空構造物の直径方向に位置調整が可能であることが好ましい。この構成によれば、足場の位置調整が容易になる。
【００１０】
本発明の吊り足場の設置方法は、中空構造物へ吊り足場を設置する吊り足場の設置方法であって、前記中空構造物は、天井部に、天井部の中心から離れた位置に開口が形成されており、足場を吊す支持構造は、前記中空構造物に設置したときに、前記中空構造物の外側において、前記中空構造物の直径方向に延在する外支持体と、前記中空構造物の内側において、前記中空構造物の直径方向に延在する内支持体と、前記開口を介して、前記外支持体と前記内支持体とを連結する連結体とを備えるように構成し、前記内支持体を、前記開口を通過させて中空構造物の内部にあらかじめ搬入しておき、前記内支持体と、前記中空構造物の外側に配置した外支持体とを、連結体を介して連結して、前記支持構造を組み立て、前記支持構造に、前記足場を吊るすための係止手段を取り付けて吊り足場を設置することを特徴とする。この構成によれば、開口が中空構造物の天井部の中心から離れた位置にあっても、開口をそのまま利用して、足場を安定して吊るすことができる。
【００１１】
前記本発明の吊り足場の設置方法においては、前記連結体と前記外支持体とを連結する前に、前記中空構造物の内部又は外部において、前記内支持体と前記連結体とを連結した組立体を形成しておくことが好ましい。この構成によれば、内支持体及び連結体を吊るした状態で、両者の連結作業をすることが不要になり、支持構造の組み立てが容易になる。
【００１２】
前記本発明の吊り足場の設置方法においては、前記外支持体と前記天井部との間に台座を介在させて、前記外支持体と前記連結体とを連結する際に前記外支持体を位置調整をすることが好ましい。この構成によれば、外支持体と連結体とを連結する際の位置合わせが容易になる。
【００１３】
また、前記中空構造物の直径方向に前記係止手段の位置調整をして、足場を吊るす位置を調整をすることが好ましい。この構成によれば、足場の位置調整が容易になる。
【発明の効果】
【００１４】
本発明によれば、開口が中空構造物の天井部の中心から離れた位置にあっても、開口をそのまま利用して、足場を安定して吊るすことができる。
【図面の簡単な説明】
【００１５】
【図１】サイロに、本発明の一実施形態に係る足場の支持構造を用いて吊り足場を設置した状態を示す概略構成図。
【図２】本発明の一実施形態に係る足場の平面図。
【図３】本発明の一実施形態に係る駆動機構の内部構造の要部を示した図。
【図４】本発明の一実施形態に係る支持構造の側面図。
【図５】本発明の一実施形態において、分解した支持構造の搬入工程を示す図。
【図６】本発明の一実施形態において、内支持体と連結体との連結構造の一例を示す斜視図。
【図７】図４に示した内支持体３１のＡＡ線における断面図。
【発明を実施するための形態】
【００１６】
以下、本発明の一実施形態について、図面を参照しながら説明する。最初に図１を参照しながら、本発明の一実施形態に係る足場の支持構造を用いた吊り足場の概略構成を説明する。図１はサイロ１０に、本発明の一実施形態に係る足場の支持構造２を用いて吊り足場１を設置した状態を示す概略構成図である。図２は、足場３の平面図である。図１に示したように、吊り足場１は、支持構造２、足場３及び昇降機構４を主要構成としている。昇降機構４は、ラックレール５及び駆動部６で構成されており、詳細は後に説明する。本実施形態では中空構造物はサイロ１０の例で説明するが、これに限るものではなく、例えばタンクやコンテナであってもよい。
【００１７】
サイロ１０内には、足場３及び昇降機構４が配置されている。足場３は作業者が乗って作業をする部分であり、外周部に手摺り７が設けられている。図２に示したように、足場３はパイプ２０を組み立てて枠体が形成されている。パイプ２０間には複数のプレート２１が架け渡され、パイプ２０間に作業台が形成される。図２は、枠体の一部にプレート２１が架け渡されている状態を図示しているが、枠体の全体に亘りプレートが架け渡される。足場３は駆動部６と一体であり、図２に示した取付枠２４の内部に、駆動部６が固定される。前記の足場３の構造は一例であり、作業者が乗って作業できるものであれは、他の構造であってもよい。
【００１８】
図３は、昇降機構４を構成する駆動部６の内部構造の要部を示している。駆動部６のモータ２５の回転によりスプロケット２６が回転し、スプロケット２６とスプロケット２８との間に架け渡されたチェーン２７が駆動され、スプロケット２８が回転する。この回転と一体にピニオンギア２９が回転する。ピニオンギア２９は、ラックレール５と一体のラックギア４５と噛み合っている。したがって、ピニオンギア２９の回転により、駆動部６は、ラックレール５に沿って移動する。すなわち、モータ２５の正逆回転に応じて、駆動部６は昇降し、同時に駆動部６と一体の足場３が昇降する。この際、足場３の外周に設けたローラ９（図１）が、サイロ１０の内壁面上を摺動する。足場３の昇降により、足場３上の作業者は、サイロ１０の内壁面全体に亘り、補修、清掃又はメンテナンス作業等の各種作業を行うことができる。前記の昇降機構４の構造は一例であり、足場を昇降させることができるものであれば、他の構造であってもよい。
【００１９】
図１において、サイロ１０の天井部１１を介して、サイロ１０の内部及びサイロ１０の外部に支持構造２が配置されている。支持ワイヤ４６の一端が係止手段であるトロリ４０を介して支持構造２に取り付けられ、支持ワイヤ４６の他端がラックレール５に取り付けられている。前記のとおり、駆動部６のピニオンギア２９とラックレール５のラックギア４５とが噛み合っており、駆動部６とラックレール５とは一体になっている。このことにより、足場３はラックレール５及び駆動部６を介して、支持構造２により吊り下げられている。本実施形態では、支持構造２は直接的に足場３を吊るしていないが、本実施形態において、足場３を吊るすというときは、足場３を他の構造物を介して吊るすことも含むこととする。
【００２０】
ここで、サイロ１０等の中空構造物には、大規模な装置を搬入可能な出入り口が無いのが通常である。このため、吊り足場を設置する際には、吊り足場を分解しておき、各構成部品を中空構造物の天井部に設けられた開口から搬入することが行われている。この方法では、吊り足場の大半は、中空構造物内で組み立てられる。
【００２１】
このことは、本実施形態においても同様であり、足場３及び昇降機構４は、あらかじめ分解しておき、図１に示したサイロ１０の天井部１１の開口１２から、各構成部品をサイロ１０内に搬入する。各構成部品はサイロ１０内で組み立てる。例えば足場３は、多数のパイプ２０及びプレート２１（図２参照）に分解した状態で、開口１２を経て搬入される。ラックレール５は、多数の小片８（図１参照）を接続して形成されているので、小片８単位に分解した状態で開口１２を経て搬入される。
【００２２】
支持構造２のうちサイロ１０の内部に配置する内支持体３１及び連結体３２は、同様に開口１２からサイロ１０内に搬入する。そして、サイロ１０内でこれらを組み立て、外支持体３０と連結する。したがって、吊り足場１の大半は、サイロ１０内で組み立てられる。サイロ１０内の組立作業は、例えば、サイロ１０の下部に設けた作業台上で行い、組立品は上方に吊り上げるようにすればよい。
【００２３】
開口１２は、サイロ１０に元々形成されている既存の開口である。本実施形態の支持構造２を用いた場合は、開口１２が天井部１１の中心から離れた位置にあっても吊り足場１の設置が可能になる。以下、支持構造２について具体的に説明する。
【００２４】
図４は、本実施形態の支持構造２の側面図であり、図１の支持構造２の拡大図に相当する。支持構造２は、外支持体３０、内支持体３１及び連結体３２で主要部が構成されている。外支持体３０はサイロ１０の外側において、サイロ１０の直径方向（矢印ｄ方向）に延在する。内支持体３１はサイロ１０の内側において、サイロ１０の直径方向（矢印ｄ方向）に延在する。連結体３２は、開口１２を介して、外支持体３０と内支持体３１とを連結している。外支持体３０とサイロ１０の天井部１１との間には、台座３３を介在させている。
【００２５】
支持構造２は、外支持体３０、内支持体３１及び連結体３２の３部品に分解可能である。図４に示したように、外支持体３０はサイロ１０の外部に配置され、内支持体３１はサイロ１０の内部に配置され、連結体３２はサイロ１０の内部と外部に両方に配置される。図４のように支持構造２を組み立てるには、内支持体３１及び連結体３２を分解した単品状態で、あらかじめサイロ１０内に搬入しておく。
【００２６】
図５は分解した支持構造２の搬入工程を示す図であり、図５（ａ）は内支持体３１の搬入工程を示し、図５（ｂ）は連結体３２の搬入工程を示している。図５（ｃ）は、内支持体３１と連結体３２とを組み立てた状態を示している。本実施形態では、サイロ１０内への搬入部品をサイロ１０の下部に設けた作業台上に置き、作業台上で組立て作業を行う例で説明する。
【００２７】
図５（ａ）に示したように、開口１２に内支持体３１を通過させて、内支持体３１をサイロ１０内に搬入する。搬入した内支持体３１は、サイロ１０下部の作業台上に置く。続いて、開口１２に連結体３２を通過させて、連結体３２をサイロ１０内に搬入し、サイロ１０下部の作業台上に置く。内支持体３１と連結体３２の搬入順序は逆になってもよい。サイロ１０内の作業台上で、内支持体３１と連結体３２とを組み立てて、図５（ｃ）に示したようにＬ字状の組立体を形成する。
【００２８】
図６に内支持体３１と連結体３２との連結構造の一例を示している。図６は図４のａ部の拡大図に相当する。内支持体３１は、支持板３５と添え板３６とで挟まれ、かつと添え板３７と添え板３８とで挟まれている。連結体３２は支持板３５と添え板３９とで挟まれている。この状態で、ボルト５１を添え板３６及び内支持体３１の孔（図示せず）及び支持板３５の孔を挿通させて、ボルト５１にナット５２を締め付ける。同様に他の孔部分においても、他の各孔に挿通させたボルト５１にナット５２を締め付ける。さらに、図４のｂ部においても、同様に各孔に挿通させたボルト５１にナット５２を締め付ける。このようにして、内支持体３１と連結体３２とを連結し、図５（ｃ）に示したＬ字状の組立体を形成する。
【００２９】
このＬ字状の組立体を開口１２に向けて持ち上げて、連結体３２を外支持体３０に連結する。連結部分は、図４のｃ部及びｄ部であり、連結構造は、前記のａ部と同様である。前記ａ〜ｄ部における連結構造は一例であり、組み立て及び分解が可能であれば、他の連結構造であってもよい。
【００３０】
また、Ｌ字状の組立体は、サイロ１０の内部で組み立てる例で説明したが、サイロ１０の外部であらかじめ組み立てておいてもよい。開口１２が大きければ、Ｌ字状の組立体を、開口１２を経てサイロ１０の内部に搬入可能である。Ｌ字状の組立体をサイロ１０の内部及び外部のいずれで組み立てる場合であっても、支持構造２の組み立てが容易になる。すなわち、あらかじめ内支持体３１と連結体３２とを連結してＬ字状の組立体を形成しておくことにより、内支持体３１及び連結体３２を吊るした状態で両者の連結作業をすることが不要になる。
【００３１】
図４において、連結体３２を外支持体３０に連結する時点では、台座３３と外支持体３０とは接合されていない。このため、連結体３２と外支持体３０とを連結する際の位置合わせは、台座３３上の外支持体３０を適宜ずらすことにより可能になる。また、支持構造２を組み立てた後においては、支持構造２全体の位置調整も可能になる。前記のとおり、支持構造２の設置工程中、台座３３は外支持体３０には接合されていないが、以後吊り足場１の使用中においても、この状態を維持してもよい。
【００３２】
また、設置工程中に、外支持体３０が台座３３が接合されていてもよい。この場合であっても、台座３３と天井部１１とが接合されていなければ、連結体３２と外支持体３０とを連結する際の位置合わせは可能になる。さらに、台座３３を用いず、外支持体３０を直接天井部１１に載置する構成としてもよい。
【００３３】
図７に図４に示した内支持体３１のＡＡ線における断面図を示している。内支持体３１に、係止手段であるトロリ４０が装着されている。トロリ４０の一対のローラ４１が、断面Ｈ形の内支持体３１の底部３３に載置されている。このことにより、トロリ４０はローラ４１が回転しながら、内支持体３１の長手方向（図４参照）に移動可能である。この構成によれば、支持構造２に吊り下げた足場３の水平方向（サイロ１０の直径方向）の位置調整が容易になる。
【００３４】
図７において、トロリ４０の吊下げ部４２には、ワイヤ４６が取り付けられている。図１及び図４に示したように、ワイヤ４６にはラックレール５が吊り下げられ、図１に示したように、ラックレール５と一体に駆動部６及び足場３が吊り下げられる。すなわち、支持構造２は足場３を吊り下げる基礎となる部分である。この構成では、図４に示したように、内支持体３１に下向きに荷重Ｆが作用するとともに、内支持体３１を回転させようとするモーメントＭが作用する。一方、外支持体３０はサイロ１０の直径方向に延在しており、台座３３により支持されている。この場合、外支持体３０には、反力Ｒ１〜Ｒ４が作用するので、荷重Ｆ及びモーメントＭとの釣り合いが保たれ、支持構造２は安定した静止状態が保たれる。
【００３５】
支持構造２における外支持体３０と内支持体３１との長さの比は、適宜決定すればよい。この場合、吊り下げ部分の荷重が大きくなっても、モーメントによる回転を防止できるようにすればよい。このためには、図４を参照すれば、サイロ１０の直径方向ｄにおいて、内支持体３１の端部３１ａよりも、外支持体３０の端部３０ａが外側にあることが好ましい。この構成によれば、サイロ１０の直径方向ｄにおいて、内支持体３１における荷重印加点Ｐ１よりも外側に、外支持体３０の支点Ｐ２を配置できるので、回転防止に有利になる。なお、内支持体３１の端部３１ａは、吊り下げ部分の荷重印加点Ｐ１側の端部であり、外支持体３０の端部３０ａは、内支持体３１の端部３１ａ側の端部である。
【００３６】
以上のように本実施形態に係る支持構造２によれば、開口１２がサイロ１０の天井部１１の中心から離れた位置にあっても、開口１２をそのまま利用して、足場３を安定して吊るすことができる。
【００３７】
前記の支持構造２を構成部品の形状は、前記実施形態の形状に限るものではない。すなわち、外支持体３０及び内支持体３１は、中空構造物の直径方向に延在するように形成されていればよい。連結体３２についても、外支持体３０と内支持体３１とを連結できるように形成されていればよい。
【００３８】
また、前記実施形態では、内支持体３１への係止手段をトロリ４０とし、足場２の水平方向の位置調整をするようにしているが、足場２を吊るす位置を調整できればよく、係止手段は他の構成であってもよい。例えば、トロリ４０を省き、支持ワイヤ４６を係止手段とし、内支持体３１側において、支持ワイヤ４６の係止位置を調整できるようにしてもよい。
【符号の説明】
【００３９】
１  吊り足場
２  支持構造
３  足場
４  昇降機構
１０  サイロ
１１  天井部
１２  開口
３０  外支持体
３１  内支持体
３２  連結体
３３  台座
【図１】
2015059303.tif 000003
【図２】
2015059303.tif 000004
【図３】
2015059303.tif 000005
【図４】
2015059303.tif 000006
【図５】
2015059303.tif 000007
【図６】
2015059303.tif 000008
【図７】
2015059303.tif 000009